【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
走行車体（９）に設けられ、圃場に苗を植え付ける植付部（１５）と、
前記走行車体（９）に固定された第１の支持部材（４５）と、
前記第１の支持部材（４５）の上部に連結された固定保持フレーム（５２）と、
少なくとも１つが可動式である複数の予備苗載台（４７、４８）を有する、前記第１の支持部材（４５）に連結された第１の予備苗枠（４６）と、
前記固定保持フレーム（５２）に連結され、前記第１の予備苗枠（４６）の可動式の予備苗載台（４７）に直接または間接に、前後方向に回動可能に取り付けられたリンク部材（５４）と、
前記固定保持フレーム（５２）の上に、前後方向に摺動可能に連結された補助フレーム（７２）とを備え、
前記複数の予備苗載台（４７、４８）は、リンク部材（５４）の回動により上下方向に重なり合う重複状態と前後方向に展開する展開状態とに切り替え可能な構成とし、
前記補助フレーム（７２）の上に、前記可動式の予備苗載台（４７）とは別の予備苗載台（４８）が固定されており、
前記固定保持フレーム（５２）に連結された前記リンク部材（５４）の回動軸（５８）の一端には、クランク部材（７４）が固定されており、
前記クランク部材（７４）の先端は、前記補助フレーム（７２）に設けられたカム部（７３）に係合し、前記リンク部材（５４）の回動で前記補助フレーム（７２）を前後方向に移動させる構成であることを特徴とする苗移植機。
【請求項２】
前記別の予備苗載台（４８）が、前記リンク部材（５４）の回動で前後方向に移動することを防止するロック機構を有することを特徴とする、請求項１に記載の苗移植機。
【請求項３】
前記可動式の予備苗載台（４７）に固定されている可動保持フレーム（５１）に、前記リンク部材（５４）が回動可能に連結され、
前記ロック機構は、
前記固定保持フレーム（５２）の前記リンク部材（５４）が連結されている部位の近傍に固定された軸受け部（５９）と、
前記軸受け部（５９）に回動可能に支承される鉤型ロック部材（６０）と、
前記第１の予備苗枠（４６）または前記第１の支持部材（４５）に取り付けられた切替操作部材（６２）と、
一端が前記鉤型ロック部材（６０）に連結され、他端が前記切替操作部材（６２）の一端に連結された連繋部材（６１）とで構成し、
前記鉤型ロック部材（６０）を、前記リンク部材（５４）の一部に係止することによりロック状態になると共に、前記鉤型ロック部材（６０）を、前記リンク部材（５４）から離隔することにより前記ロック状態を解除することを特徴とする、請求項２に記載の苗移植機。
【請求項４】
前記可動保持フレーム（５１）には、前記可動式の予備苗載台（４７）を移動させるための取っ手（６３）が設けられており、
前記切替操作部材（６２）は、前記取っ手（６３）に連結されていることを特徴とする、請求項３に記載の苗移植機。
【請求項５】
前記第１の支持部材（４５）は、上面が扇状の受け台（１４）を上部に有し、
前記固定保持フレーム（５２）の一部（８１）が、前記受け台（１４）の前記扇状の弧の部分に当接しながら回動可能に構成したことを特徴とする、請求項１から４のいずれか１項に記載の苗移植機。
【請求項６】
前記走行車体（９）の、前記第１の支持部材（４５）とは反対側に固定された第２の支持部材（８２）と、
前記第２の支持部材（８２）に連結された第２の予備苗枠（８３）とを備え、
前記第１の予備苗枠（４６）は、２つの前記予備苗載台（４７、４８）を有し、
前記第２の予備苗枠（８３）は、上下方向に重なり合う位置に固定された３つの予備苗載台（８４ｕ、８４ｍ、８４ｄ）を有し、
前記第１の予備苗枠（４６）の前記２つの予備苗載台（４７、４８）が前記重複状態のときに前記走行車体（９）の正面から見た場合、前記第２の予備苗枠（８３）の中段の前記予備苗載台（８３ｍ）は、前記第１の予備苗枠（４６）の前記２つの予備苗載台（４７、４８）の間に位置していることを特徴とする、請求項１から５のいずれか１項に記載の苗移植機。
【請求項７】
前記走行車体（９）の、前記第１の支持部材（４４）とは反対側に固定された第２の支持部材（８２）と、
前記第２の支持部材（８２）に連結された第２の予備苗枠（８３）とを備え、
前記第１の予備苗枠（４６）は、２つの前記予備苗載台（４７、４８）を有し、
前記第２の予備苗枠（８３）は、上下方向に重なり合う位置に固定された３つの予備苗載台（８４ｕ、８４ｍ、８４ｄ）を有し、
前記第１の予備苗枠（４６）の前記２つの予備苗載台（４７、４８）が前記重複状態のときに前記走行車体（９）の正面から見た場合、前記第１の予備苗枠（４６）の下段の前記予備苗載台（４８）が、前記第２の予備苗枠（８３）の一番下の前記予備苗載台（８４ｄ）と略同じ位置であることを特徴とする、請求項１から５のいずれか１項に記載の苗移植機。
【手続補正２】
【補正対象書類名】明細書
【補正対象項目名】００１６
【補正方法】変更
【補正の内容】
【００１６】
本発明は、苗の積込作業の能率を向上させる苗移植機を提供することを目的とする。また、起伏の大きな道の走行時においても、振動によって予備苗枠が重複状態から展開状態へと切り換わらない苗移植機を提供することを目的とする。
【手続補正３】
【補正対象書類名】明細書
【補正対象項目名】００１８
【補正方法】変更
【補正の内容】
【００１８】
第１の本発明は、
走行車体（９）に設けられ、圃場に苗を植え付ける植付部（１５）と、
前記走行車体（９）に固定された第１の支持部材（４５）と、
前記第１の支持部材（４５）の上部に連結された固定保持フレーム（５２）と、
少なくとも１つが可動式である複数の予備苗載台（４７、４８）を有する、前記第１の支持部材（４５）に連結された第１の予備苗枠（４６）と、
前記固定保持フレーム（５２）に連結され、前記第１の予備苗枠（４６）の可動式の予備苗載台（４７）に直接または間接に、前後方向に回動可能に取り付けられたリンク部材（５４）と、
前記固定保持フレーム（５２）の上に、前後方向に摺動可能に連結された補助フレーム（７２）とを備え、
前記複数の予備苗載台（４７、４８）は、リンク部材（５４）の回動により上下方向に重なり合う重複状態と前後方向に展開する展開状態とに切り替え可能な構成とし、
前記補助フレーム（７２）の上に、前記可動式の予備苗載台（４７）とは別の予備苗載台（４８）が固定されており、
前記固定保持フレーム（５２）に連結された前記リンク部材（５４）の回動軸（５８）の一端には、クランク部材（７４）が固定されており、
前記クランク部材（７４）の先端は、前記補助フレーム（７２）に設けられたカム部（７３）に係合し、前記リンク部材（５４）の回動で前記補助フレーム（７２）を前後方向に移動させる構成であることを特徴とする苗移植機である。
【手続補正４】
【補正対象書類名】明細書
【補正対象項目名】００１９
【補正方法】変更
【補正の内容】
【００１９】
また、第２の本発明は、
前記別の予備苗載台（４８）が、前記リンク部材（５４）の回動で前後方向に移動することを防止するロック機構を有することを特徴とする、第１の本発明の苗移植機である。
【手続補正５】
【補正対象書類名】明細書
【補正対象項目名】００２０
【補正方法】変更
【補正の内容】
【００２０】
また、第３の本発明は、
前記可動式の予備苗載台（４７）に固定されている可動保持フレーム（５１）に、前記リンク部材（５４）が回動可能に連結され、
前記ロック機構は、
前記固定保持フレーム（５２）の前記リンク部材（５４）が連結されている部位の近傍に固定された軸受け部（５９）と、
前記軸受け部（５９）に回動可能に支承される鉤型ロック部材（６０）と、
前記第１の予備苗枠（４６）または前記第１の支持部材（４５）に取り付けられた切替操作部材（６２）と、
一端が前記鉤型ロック部材（６０）に連結され、他端が前記切替操作部材（６２）の一端に連結された連繋部材（６１）とで構成し、
前記鉤型ロック部材（６０）を、前記リンク部材（５４）の一部に係止することによりロック状態になると共に、前記鉤型ロック部材（６０）を、前記リンク部材（５４）から離隔することにより前記ロック状態を解除することを特徴とする、第２の本発明の苗移植機である。
【手続補正６】
【補正対象書類名】明細書
【補正対象項目名】００２１
【補正方法】変更
【補正の内容】
【００２１】
また、第４の本発明は、
前記可動保持フレーム（５１）には、前記可動式の予備苗載台（４７）を移動させるための取っ手（６３）が設けられており、
前記切替操作部材（６２）は、前記取っ手（６３）に連結されていることを特徴とする、第３の本発明の苗移植機である。
【手続補正７】
【補正対象書類名】明細書
【補正対象項目名】００２２
【補正方法】変更
【補正の内容】
【００２２】
また、第５の本発明は、
前記第１の支持部材（４５）は、上面が扇状の受け台（１４）を上部に有し、
前記固定保持フレーム（５２）の一部（８１）が、前記受け台（１４）の前記扇状の弧の部分に当接しながら回動可能に構成したことを特徴とする、第１から第４のいずれか１つの本発明の苗移植機である。
【手続補正８】
【補正対象書類名】明細書
【補正対象項目名】００２５
【補正方法】変更
【補正の内容】
【００２５】
第１の本発明によって、予備苗枠（４６）を展開状態に切り替えると前記可動式の予備苗載台（４７）は前後に移動する構成となるため、予備苗枠（４６）を突出させることができるので、圃場端に用水路等があっても苗の積込作業者は予備苗枠（４６）に近付くことができ、苗の積込作業の能率が向上する。前記別の予備苗載台（４８）を前後移動可能に装着したことにより、第１の予備苗枠（４６）を展開状態に切り替えると前記別の予備苗載台（４８）は、前後方向に移動する。
【手続補正９】
【補正対象書類名】明細書
【補正対象項目名】００２６
【補正方法】変更
【補正の内容】
【００２６】
また、展開状態としたときの、複数の予備苗載台（４７、４８）の間に隙間が生じることを防止でき、苗の積込作業時に隙間に苗が引っかかったり、隙間から苗が落下したりすることが防止されるため、作業能率が向上する。
【手続補正１０】
【補正対象書類名】明細書
【補正対象項目名】００２７
【補正方法】変更
【補正の内容】
【００２７】
第２の本発明によって、第１の本発明の効果に加えて、ロック機構をロック状態にすると圃場の凹凸等で機体（９）が振動しても前記リンク部材（５４）が回動することを防止できるので、載置した苗が落下することが防止され、苗が傷つかず、生育が良好となる。また、前記リンク部材（５４）が回動する際に生じる音の発生を防止できるので、作業者が不快感を覚えず、能率的に作業が行える。
【手続補正１１】
【補正対象書類名】明細書
【補正対象項目名】００２８
【補正方法】変更
【補正の内容】
【００２８】
第３の本発明によって、第２の本発明の効果に加えて、鉤型ロック部材（６０）と切替操作部材（６２）を連繋部材（６１）で繋いでロック機構を構成したことにより、作業者は鉤型ロック部材（６０）を手作業で操作する必要がなく、作業能率が向上する。
【手続補正１２】
【補正対象書類名】明細書
【補正対象項目名】００２９
【補正方法】変更
【補正の内容】
【００２９】
第４の本発明によって、第３の本発明の効果に加えて、前記可動保持フレーム（５１）に取っ手（６３）を設けたことにより、第１の予備苗枠（４６）の操作が容易になり、作業能率が向上する。
【手続補正１３】
【補正対象書類名】明細書
【補正対象項目名】００３０
【補正方法】変更
【補正の内容】
【００３０】
また、取っ手（６３）に切替操作部材（６２）を設けたことにより、作業者は取っ手（６３）を掴むと共に切替操作部材（６２）を操作することができるので、ロック機構の操作と第１の予備苗枠（４６）の操作が略同時に行え、作業能率が向上する。
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】変更
【補正の内容】
【００３３】
第５の本発明によって、第１から第４の何れか１つの本発明の効果に加えて、受け台（１４）を、第１の予備苗枠（４６）の回動角度にかかわらず支持可能な形状としたことにより、受け台（１４）が常に予備苗枠（４６）を下方から支持する構成となるため、第１の予備苗枠（４６）が撓むことが防止でき、苗の積み込みやすさが向上すると共に、苗が第１の予備苗枠（４６）から滑り落ちることが防止される。
【手続補正１７】
【補正対象書類名】明細書
【補正対象項目名】００３６
【補正方法】変更
【補正の内容】
【００３６】
第７の本発明によって、第１から第５の何れか１つの本発明の効果に加えて、第１の予備苗枠（４６）への苗の積み込み位置が低くなるので、苗が積み込みやすく、作業者の労力が軽減される。